(57)【要約】【課題】車椅子を利用する高齢者や下半身が不自由な身体障害者等の方々が、寒い時期でも気軽に外出を楽しむことができるように、携帯性に優れ、かつクッション性にも優れた車椅子用暖房器及びその暖房器を備えた車椅子を提供する。【解決手段】  柔軟なＰＴＣ面状発熱体２と、低反発性の台座と、その発熱体２及びその台座を収納する柔軟な収納カバー１と、発熱体２に給電する携帯可能な電源１６とを備え、発熱体２の表面上に防水層が形成されるとともに、発熱体２が低反発性の台座の上方に着脱可能に載置され、発熱体２が収納カバー１を介して人体の左右の大腿部及び／又は臀部と接するような形状を有する。【選択図】図２
2009095520.tif 000002
【特許請求の範囲】
【請求項１】
柔軟なＰＴＣ面状発熱体と、
低反発性の台座と、
前記発熱体及び前記台座を収納する柔軟な収納カバーと、
前記発熱体に給電する携帯可能な電源とを備え、
前記発熱体の表面上に防水層が形成されるとともに、前記発熱体が低反発性の台座の上方に着脱可能に載置され、
前記発熱体が前記収納カバーを介して人体の左右の大腿部及び／又は臀部と接するような形状を有する
車椅子用暖房器。
【請求項２】
柔軟なＰＴＣ面状発熱体と、
低反発性の台座と、
袋体に封入されたゲル状の熱媒体と、
前記発熱体、前記台座、及び前記熱媒体を収納する柔軟な収納カバーと、
前記発熱体に給電する携帯可能な電源とを備え、
前記発熱体の表面上に防水層が形成されるとともに、前記発熱体が低反発性の台座の上方に着脱可能に載置され、
前記熱媒体が、前記発熱体の上方に載置され、かつ、前記発熱体が、前記防水層、前記熱媒体、及び前記収納カバーを介して人体の左右の大腿部及び／又は臀部と接するような形状を有する
車椅子用暖房器。
【請求項３】
前記発熱体が、略ハ字、略Ｖ字、略コ字、略Ｕ字の形状、又は矩形である
請求項１又は請求項２に記載の車椅子用暖房器。
【請求項４】
柔軟なＰＴＣ面状発熱体と、
低反発性の台座と、
前記発熱体及び前記台座を収納する柔軟な収納カバーと、
前記発熱体に給電する携帯可能な電源とを備え、
前記発熱体の表面上に防水層が形成されるとともに、前記発熱体が低反発性の台座の上方に着脱可能に載置され、かつ前記発熱体が前記収納カバーを介して人体の左右の大腿部及び／又は臀部と接するような形状を有する暖房器を有する
車椅子。
【発明の詳細な説明】
【技術分野】
【０００１】
本発明は、車椅子用暖房器、特に携帯性に優れた車椅子用暖房器、及びその暖房器を備えた車椅子に関するものである。
【背景技術】
【０００２】
車椅子を利用する高齢者や下半身が不自由な身体障害者等にとって、特に晩秋から春先にかけて、下半身の血行の悪化を防ぐことは自身の健康の維持を図る上でも極めて重要な関心事である。高齢者や身体障害者等が車椅子を利用しなければならない場合、例えば、夜のお花見等のレジャーにように気温の低い環境の中で比較的長時間車椅子に座ることが要求される際に自由な移動が制限されることが多い。これは、外出の際に携帯できる使い勝手の良い車椅子向けの暖房器及びその暖房器を備えた車椅子がないためである。
【０００３】
従来、移動時の車椅子を対象とする暖房器が全くなかったわけではない。例えば、下記の特許文献１には、熱媒をひざ掛け内部に形成された流路に搬送して循環させることにより採暖が可能となる技術が開示されている。しかし、その機構は非常に複雑であるため、メンテナンスが困難であるとともに暖房装置のコンパクト化にも限界がある。
【０００４】
他方、車椅子に長時間座り続けると人体の臀部又は大腿部の一部に圧力が集中するなどして、褥瘡、いわゆる床ずれが生じることになる。従って、車椅子の座面と接触する人体への負担に軽減についても重要な関心事といえる。
【特許文献１】特開２００１−１０８２４７号公報
【発明の開示】
【発明が解決しようとする課題】
【０００５】
上述の通り、車椅子を利用する高齢者等が、特に冬季や夜に野外で健常者と同様にレジャーを楽しむためには、下半身の採暖が手軽にかつ安全に得られることが実現されなければならない。とりわけ下半身が不自由な者は、その部分の血行が悪くなるために健常者と比べて下半身が冷えやすい体質となることから、寒冷地や寒い時期における十分な採暖が不可欠となる。そして、この採暖の問題は、レジャー等に限らず、日常生活における通院の際や介護施設への往来の際にも生じるため、当事者やその家族等の関係者にとって深刻な問題となる。
【０００６】
他方、車椅子の座面との接触による床ずれ現象も、車椅子を利用する高齢者等にとって解消したい問題である。しかし、適切な採暖によってその症状の発生の防止又は緩和が期待できる。換言すれば、単に座面との接触方法を改善するだけでは床ずれへの対処として不十分である。従って、採暖という観点を含めた相乗的な作用によって床ずれの改善を図ることが要求されるべきであるが、これらを同時に改善することは容易ではない。
【０００７】
本発明は、上述の技術課題を解決することにより、車椅子を利用する高齢者や下半身が不自由な身体障害者等の方々が、寒い時期でも気軽に外出を楽しむことができるように、携帯性に優れ、かつクッション性にも優れた車椅子用暖房器及びその暖房器を備えた車椅子を提供する。発明者は、車椅子の基本的な特長である移動性を損なうことなく採暖を実現するとともに、床ずれの防止にも寄与しうるための車椅子用暖房器を完成させるべく、鋭意研究を重ねた。その結果、特殊な発熱源をクッション性の優れた台座と協調させることにより、人体と車椅子の座面との接触時のクッション性を維持しつつ、十分かつ安全に採暖することが可能となり、本発明が完成した。
【０００８】
本発明の一つの車椅子用暖房器は、柔軟なＰＴＣ面状発熱体と、低反発性の台座と、その発熱体及びその台座を収納する柔軟な収納カバーと、その発熱体に給電する携帯可能な電源とを備えている。その上で、前述の発熱体の表面上に防水層が形成されるとともに、その発熱体が低反発性の台座の上方に着脱可能に載置され、かつ、その発熱体が前述の防水層及び前述の収納カバーを介して人体の左右の大腿部及び／又は臀部と接するような形状を有している。
【０００９】
この車椅子用暖房器によれば、柔軟なＰＴＣ面状発熱体が低反発性の台座の上方に載置されており、さらにそれらが柔軟な収納カバーに収められている。そのため、その発熱体が台座と人体の間に介在していても、人体との接触面積が、着座時に低反発性である台座との間で広く確保される。また、ＰＴＣ面状発熱体の自己制御性により、温度上昇を所定の温度に設定することによって簡便に低温やけどの防止を実現することができる。さらに、携帯可能な電源によってＰＴＣ面状発熱体が作動しうるため、車椅子の移動性を損なわれない。従って、本発明の車椅子用暖房器によれば、車椅子の移動性を損なうことなく、人体と車椅子の座面との接触時のクッション性が維持され、さらに十分かつ安全に採暖することが可能となる。尚、ＰＴＣ面状発熱体の表面上に防水層が形成されているため、万一、失禁したり飲食物を溢してしまった場合であっても、暖房器がショートしない。加えて、その発熱体が着脱可能に低反発性の台座上に載置されるため、その暖房器を取り外した上で収納カバーや台座を洗うことによってそれらを再利用することができる。
【００１０】
本発明のもう一つの車椅子用暖房器は、柔軟なＰＴＣ面状発熱体と、低反発性の台座と、袋体に封入されたゲル状の熱媒体と、その発熱体、その台座、及びその熱媒体を収納する柔軟な収納カバーと、その発熱体に給電する携帯可能な電源とを備えている。その上で、前述の発熱体の表面上に防水層が形成されるとともに、その発熱体が低反発性の台座の上方に着脱可能に載置されている。さらに、前述の熱媒体が、前述の発熱体の上方に載置され、かつ、その発熱体が、その防水層、その熱媒体、及びその収納カバーを介して人体の左右の大腿部及び／又は臀部と接するような形状を有している。
【００１１】
この車椅子用暖房器によれば、最初の車椅子用暖房器の発明の効果に加え、収納カバーとその防水層が形成された発熱体との間に配置された袋体に封入されたゲル状の熱媒体による蓄熱効果が高まり、省電力化が達成される。尚、このゲル状の熱媒体は人体と車椅子の座面との接触時のクッション性の更なる向上にも寄与する。
【００１２】
本発明の一つの車椅子は、柔軟なＰＴＣ面状発熱体と、低反発性の台座と、その発熱体及びその台座を収納する柔軟な収納カバーと、その発熱体に給電する携帯可能な電源とを備え、その発熱体の表面上に防水層が形成されるとともに、その発熱体が低反発性の台座の上方に着脱可能に載置され、かつその発熱体が前述の収納カバーを介して人体の左右の大腿部及び／又は臀部と接するような形状を有する暖房器を有している。
【００１３】
この車椅子によれば、その車椅子の有する暖房器の柔軟なＰＴＣ面上発熱体が低反発性の台座の上方に載置されており、さらにそれらが柔軟な収納カバーに収められているため、その発熱体が台座と人体の間に介在していても、人体との接触面積が、着座時に低反発性である台座との間で広く確保される。また、ＰＴＣ面状発熱体の自己制御性により、温度上限を所定の温度に設定することによって簡便に低温やけどの防止を実現することができる。さらに、携帯可能な電源によってＰＴＣ面状発熱体が作動しうるため、車椅子としての移動性も損なわれない。従って、本発明の車椅子によれば、車椅子の移動性を損なうことなく、車椅子を利用する高齢者等は、床ずれの危険性を低減できる環境下で十分かつ安全に採暖することが可能となる。
【００１４】
ところで、上記いずれの発明であっても、収納カバーの材質は、柔軟性が維持される素材であれば特に限定されない。例えば、綿、ポリエステル、又はボア材が適用できる。但し、寒冷地又は寒い時期における心地良さ、又は肌触りの質感の良さから言えば、ボア材が最も好ましい。また、低反発性の台座は、例えば、低反発性ポリウレタン、又はポリオレフィン系樹脂やポリスチレン系樹脂等からなる発泡ビーズと低反発性ポリウレタンチップの混合材、あるいは低反発性ポリウレタンシートで包み込んだ微粒子のポリエチレンビーズ等が挙げられる。但し、着座部全体で体重を支えて床ずれの発生を抑制するためには、低反発性ポリウレタンが好ましい。また、携帯可能な電源は、例えば、ニッケル水素型二次電池や、リチウムイオン型二次電池、リチウムイオンポリマー二次電池等が挙げられる。
【発明の効果】
【００１５】
本発明の１つの車椅子用暖房器又は本発明の１つの車椅子によれば、柔軟なＰＴＣ面上発熱体が低反発性の台座の上方に載置されており、さらにそれらが柔軟な収納カバーに収められている。従って、その発熱体が台座と人体の間に介在していても、人体との接触面積が、着座時に低反発性である台座との間で広く確保される。また、ＰＴＣ面状発熱体の自己制御性により、温度上限を所定の温度に設定することによって簡便に低温やけどの防止を実現することができる。さらに、携帯可能な電源によってＰＴＣ面状発熱体が作動しうるため、車椅子としての移動性も損なわれない。従って、本発明の車椅子用暖房器又は本発明の車椅子によれば、車椅子の移動性を損なうことなく、人体と車椅子の座面との接触時のクッション性を維持し、さらに十分かつ安全に採暖することが可能となる。また、ＰＴＣ面状発熱体の表面上に防水層が形成されているため、万一、失禁したり飲食物を溢してしまった場合であっても、暖房器がショートすることがない。加えて、その発熱体を取り外した上で収納カバーや台座を洗うことによってそれらを再利用することができる。
【発明を実施するための最良の形態】
【００１６】
つぎに、本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。加えて、各図面を見易くするために、一部の符号又は構成が省略されうる。
【００１７】
＜第１の実施形態＞
図１は、本実施形態における車椅子の外観斜視図であり、図２は図１の車椅子に載置されている暖房器の外観斜視図である。また、図３は、その暖房器の内部構造を説明するための外観斜視図である。また、図４Ａは、図２におけるＡ−Ａ断面図であり、図４Ｂは図４Ａの一部の拡大図である。尚、図２における点線は、その暖房器の内部の構成を示している。
【００１８】
まず、図１乃至図３に示すように、車椅子用暖房器４０を備えた車椅子１００は、座椅子に車椅子用暖房器４０が載置されている。また、この車椅子用暖房器４０は、上下２つの収納部を備え、かつ柔軟なボア材で作製された収納カバー１の内部に、薄く柔軟なＰＴＣ面状発熱体であるフイルム型ＰＴＣヒーター２（以下、単に「ＰＴＣヒーター」ともいう）を配置している。本実施形態では、このＰＴＣヒーターは、例えば、特開２００７−６６６０３号に記載されたヒーターであり、２つの短冊状のＰＴＣヒーターが人体との接触部位に合わせるように略ハ字形状に配置されている。尚、本実施形態のＰＴＣヒーター２は、薄いベースシート（例えば、ポリエステル天竺基布や不織布）に抵抗体材料として発熱体を印刷したものである。また、この発熱体は、例えば、樹脂材料にカーボンを混合して形成されるＰＴＣ材料である。このＰＴＣヒーター２は、温度が下がった領域のみを部分的に発熱するものであるため省電力性に優れているだけでなく、カーボン素材が用いられているため、採暖に寄与する遠赤外線を発する機能も備えている。
【００１９】
次に、本実施形態の車椅子用暖房器４０の断面構造を図４Ａ及び図４Ｂに基づいて説明する。尚、図４Ｂは、図４ＡにおけるＰＴＣヒーター２の近傍を拡大した図である。図４Ａ及び図４Ｂに示すように、ＰＴＣヒーター２が液体の侵入によってショート等の故障をしないように、ＰＴＣヒーター２の外周は、１ｍｍ〜２ｍｍの防水用のウレタン樹脂３
によって薄くコーティングされている。また、ＰＴＣヒーター２は、比較的薄いヒーター敷きウレタン６と接着剤によって一体化された後、その防水効果をさらに高めるために、ＰＴＣヒーター２の側面がシリコン樹脂４により保護される。そして、ヒーター敷きウレタン６と一体化したＰＴＣヒーター２は、布製又はポリエステル系のヒーターカバー５によって覆われる。その後、ＰＴＣヒーター２等を収めたヒーターカバー５は、収納カバー１の上層の収納部８内に着脱可能に収められる。
【００２０】
一方、人体の実質的な台座となって座り心地を向上させるための低反発性のクッション用ウレタン７が、収納カバー１の下層の収納部９内に収められる。従って、このクッション用ウレタン７は、比較的厚く成形されている。このヒーター敷きウレタン６やクッション用ウレタン７の形状や厚みは、車椅子１００の構造や座り心地に合わせて適宜変更され得る。また、ＰＴＣヒーター２の防水加工も、上述のいずれか一方の手段が採用されてよく、その他の公知の防水加工も適用しうる。
【００２１】
さらに、本実施形態の車椅子用暖房器４０の上層の収納部８は、外周の一辺又は一部と、電源コードを通す箇所を除いて、ファスナー（ジッパー）１０による開閉機構を備えている。より具体的には、ファスナー１０は、Ｌ字状に形成されたジッパーと、直線状に形成されたジッパーを備えており、そのＬ字状のジッパーの一端と直線状のジッパーの一端との間には、前述の電源コードが引き出されるために必要十分な開口部が設けられている。従って、仮に車椅子利用者が、失禁したり、飲食物を溢してしまって収納カバー１を汚した場合でも、前述のＰＴＣヒーター２等を収めたヒーターカバー５を取り外した上で、収納カバー１やクッション用ウレタン７を洗うことができる。また、フイルム型ＰＴＣヒータ２表面がウレタン樹脂３やシリコン樹脂によって防水加工されているため、車椅子利用者が失禁したり、飲料を溢してしまった場合であっても、ＰＴＣヒーター２がショートすることを防ぐことができる。
【００２２】
次に、図３に示すように、車椅子用暖房器４０の使用方法を、その一部の構成と併せて説明する。ＰＴＣヒーター２は、図示しないリード線を介して電源コード１２に接続されている。また、ＰＴＣヒーター２はサーマルプロテクター１３を備え、ＰＴＣヒーター２が５５℃以上になると電源コード１２からの電流の供給を遮断する。このようにして、ＰＴＣヒーター２が過度に高温となることが防止される。尚、このサーマルプロテクター１３はＰＴＣヒーター２上に載置されて凹凸を形成するため、座り心地の観点から、サーマルプロテクター１３は板状であることが好ましく、その厚みは１０ｍｍ以下であることが好ましい。
【００２３】
尚、ＰＴＣヒーター２は、本来、自己温度制御機能を備えているため、人体と接触している箇所が低温火傷等になることを防止することができる。従って、サーマルプロテクター１３は本実施形態において必須の構成ではない。しかし、上述のように、本実施形態の車椅子用暖房器４０は、サーマルプロテクター１３をさらに備えることによって過度な温度上昇を二重に防ぐ構造を有している。これにより、より高度な安全性が確保できる。
【００２４】
また、本実施形態では、ヒーター敷きウレタン６上に配置されている上述のリード線、サーマルプロテクター１３、及び電源コード１２の一部は、防水加工された公知の樹脂シート１４によって覆われている。これにより、液体の侵入が防止され、また、サーマルプロテクター１３の存在による凹凸が緩和する。尚、本実施形態では、樹脂シート１４は防水加工された透過性ビニールであるが、これに限定されない。例えば、防水加工されたシリコン樹脂であってもよい。
【００２５】
電源コード１２は、単純な公知のオン・オフスイッチ１５を備えている。この電源コード１２は、さらに携帯用のバッテリ１６に接続されている。このバッテリ１６は、７．２Ｖの電圧を印加することによってＰＴＣヒーター２の温度を４７℃にするよう設定されている。尚、バッテリ１６は、例えば、充電可能なニッケル水素充電池６本を直列に接続したユニットを２つ並列につないだ、１２個の集合体である。このように、軽量化されたバッテリを搭載することにより、携帯可能で、かつ車椅子にも搭載可能な暖房器が実現される。
【００２６】
上述のスイッチ１５がＯＮの状態になると、バッテリ１６からＰＴＣヒーター２に必要な電力が供給されてＰＴＣヒーター２が発熱する。ＰＴＣヒーター２が発熱すると、ＰＴＣヒーター２からの熱が収納カバー１を介して人体の左右の大腿部及び／又は臀部を温めるため、寒い時期や地域であっても、車椅子の利用者は十分な採暖が可能となる。ここで、ＰＴＣヒーター２は、フイルム状であるために熱容量が小さい。従って、熱容量が小さいために発熱から短時間で収納カバーを昇温させることができる。また、温度が下がった場所のみを部分的に昇温させるため、消費電力が小さい。その結果、バッテリの持続性が向上し、携帯性がさらに高まる。
【００２７】
一方、スイッチ１５がＯＦＦの状態になると、バッテリ１６からＰＴＣヒーター２への電力供給が停止される。上述の通り、ＰＴＣヒーターを発熱源とする本実施形態の車椅子用暖房器４０は、お年寄りや身体障害者など、一般の暖房器に必要な温度調節等の複雑な操作に対応できない者であっても簡単に操作することができる。
【００２８】
＜第２の実施形態＞
本実施形態の車椅子、及び車椅子用暖房器４０は、図１乃至図４Ｂにおける収納カバー１とヒーターカバー５との間に袋体に封入されたゲル状の熱媒体が挟まれていること以外は同じ構成を有している。従って、本実施形態においては、第１の実施形態と共通する図面又は説明を省略する。
【００２９】
図５は、第１の実施形態の図４Ａに相当する、第２の実施形態の車椅子用暖房器５０の断面図である。
【００３０】
図５に示すように、収納カバー１と上記ヒーターカバー８の間には、フイルム型ＰＴＣヒーター２から発生する熱を蓄熱し得る、袋体１７ａに封入されたゲル状の熱媒体（以下、単に「熱媒体」ともいう）１７ｂが配置されている。すなわち、本実施形態では、電源の供給によって発熱するＰＴＣヒーター２が直接的に温める対象は、熱容量の大きいゲル状の熱媒体１７ｂである。従って、人体の左右の大腿部及び／臀部は、直接的にはこの熱媒体１７ｂによって温められる。尚、このゲル状の熱媒体１７ｂの材質は、公知の熱伝導性ゲル材料が適用される。
【００３１】
このゲル状の熱媒体１７ｂを用いることにより、車椅子用暖房器５０の蓄熱性が高まるため、車椅子を利用する者が、車椅子からある程度の時間離れることになっても、その温かさは保たれる。その結果、車椅子用暖房器５０によって消費される電力量がさらに抑えられる。
【００３２】
上述のとおり、ゲル状の熱媒体１７ｂをさらに備えた車椅子用暖房器５０により、車椅子の利用者は、より長い時間の採暖が可能となる。
【００３３】
ところで、ゲル状の熱媒体１７ｂが収納カバー１を介して人体と接触する面積が、この熱媒体１７ｂがヒーターカバー５と接する面積よりも大きい方が好ましい。そのような熱媒体１７ｂの存在により、ＰＴＣヒーター２の面積よりも広い範囲で人体と接触するため、より効率的な採暖が可能となる。加えて、ゲル状の熱媒体１７ｂが収納カバー１の直下に配置されることにより、クッション性、すなわち座り心地がさらに向上する。尚、この熱媒体１７ｂも収納カバー１の上層の収納部８内に着脱可能に収められるため、車椅子の利用者が失禁や飲食物を溢してしまった場合であっても、上述のヒーターカバー５やゲル状の熱媒体１７ｂを取り外した上で収納カバー１を洗うことができる。
【００３４】
ところで、上述の各実施形態では、略ハ字形状のフイルム型ＰＴＣヒーターについて説明したが、これに限定されない。例えば、図６に示すような略Ｖ字形状や、図７に示すような略コ字形状ないし略Ｕ字形状に配置されたフイルム型ＰＴＣヒーターであってもよい。また、図８に示すような矩形（代表的には略正方形）のフイルム型ＰＴＣヒーターも本発明に適用しうる。但し、省電力性の観点から、ＰＴＣヒーター面積は小さいほうが好ましい。従って、上述のゲル状の熱媒体を採用することは、クッションの領域のほぼ全域にＰＴＣヒーターを載置する必要がなくなるため、好適な一例である。一方、短冊状のフイルム型ＰＴＣヒーターを複数用いる場合、略ハ字形状や略Ｖ字形状を採用することが、略コ字形状や略Ｕ字形状や矩形よりも好ましい。これは、まず、略コ字形状にすれば、部品点数が増えてコスト高になるからである。また、略Ｕ字形状にするためには短冊状のＰＴＣヒーターのみでは形成することが困難であり、ＰＴＣヒーターの配置・接続や、暖房器全体としての製造コストの上昇を招くためである。また、矩形であれば、ＰＴＣヒーターの面積が大きくなる分、電力消費量が多くなるためである。
【００３５】
また、上述の各実施形態では、収納カバーの下層の収納部内に低反発性のクッション用ウレタンが収められているが、これに限定されない。例えば、クッションの材質は、ゲル状のクッションやウォータークッション、あるいは、ビーズクッションやパウダークッションであってもよい。これらの採用により、車椅子利用者の座り心地が向上し、褥瘡（床ずれ）が生じにくくなる。
【００３６】
また、上述に各実施形態では、収納カバーの表面を防水加工されたボア材としたが、これに限定されない。例えば、公知の防水仕様のタオル素材、フリース素材、タオル素材、又は、綿素材などであってもよい。但し、上述のとおり、但し、寒冷地又は寒い時期における心地良さ、又は肌触りの質感の良さから言えば、ボア材が最も好ましい。
【００３７】
また、上述の各実施形態では、充電可能なバッテリとしてニッケル水素電池が用いられているが、これに限定されない。例えば、携帯可能な電源であれば、リチウムイオン充電池、ニカド充電池、又は、カーバッテリ用充電池であっても本発明の効果が奏される。
【００３８】
さらに、上述の第２の実施形態において、ゲル状の熱媒体１７ｂを収納カバー１とヒーターカバー５の間に配置されたものを説明したが、人体の大腿部及び／又は臀部に加えて、脹脛（ふくらはぎ）も温めるように前述の熱媒体１７ｂが延長された構成は、広範囲な採暖を可能にする好適なもう一つの例である。
【００３９】
また、上述の各実施形態では、収納カバーが上層の収納部と下層の収納部を備えているが、収納カバーの構成はこれに限定されない。例えば、収納部が１つであって、ＰＴＣヒーターが直接載置されたクッション材（例えば、クッション用ウレタン）がその収納部に収められても良い。但し、水分の浸入を極力防止する観点から着脱の必要性が高いＰＴＣヒーターを台座となるクッション材と別に収納することは、本実施形態における車椅子用暖房器の取扱い上、好ましい一態様である。以上、述べたとおり、本発明の範囲内に存在する変形例もまた、特許請求の範囲に含まれるものである。
【産業上の利用可能性】
【００４０】
本発明は、車椅子用暖房器及びその暖房器を備えた車椅子として利用される。
【図面の簡単な説明】
【００４１】
【図１】本発明の１つの実施形態における車椅子用暖房器の外観斜視図
【図２】本発明の１つの実施形態における車椅子用暖房器の外観斜視図である。
【図３】本発明の１つの実施形態における車椅子用暖房器の暖房器の内部構造を説明するための外観斜視図である。
【図４Ａ】図２におけるＡ−Ａ断面図である。
【図４Ｂ】図４Ａの一部の拡大図である。
【図５】本発明の他の実施形態の車椅子用暖房器の断面図
【図６】本発明の他の実施形態における車椅子用暖房器の外観斜視図である。
【図７】本発明の他の実施形態における車椅子用暖房器の外観斜視図である。
【図８】本発明の他の実施形態における車椅子用暖房器の外観斜視図である。
【符号の説明】
【００４２】
１              収納カバー
２              フイルム型ＰＴＣヒーター
３              防水用ウレタン樹脂
４              防水用シリコン樹脂
５              ヒーターカバー
６              ヒーター敷きウレタン
７              クッション用ウレタン
８              上層収納部
９              下層収納部
１０            ファスナー
１２            電源コード
１３            サーマルプロテクター
１４            樹脂シート
１５            スイッチ
１６            バッテリー
１７ａ          袋体
１７ｂ          ゲル状の熱媒体
４０，５０，６０，７０，８０            車椅子用暖房器
１００          車椅子
【図１】
2009095520.tif 000003
【図２】
2009095520.tif 000004
【図３】
2009095520.tif 000005
【図４Ａ】
2009095520.tif 000006
【図４Ｂ】
2009095520.tif 000007
【図５】
2009095520.tif 000008
【図６】
2009095520.tif 000009
【図７】
2009095520.tif 000010
【図８】
2009095520.tif 000011